(57)【要約】【課題】ＣＰＵとメモリ故障診断装置とを備えた計算機において、ＣＰＵの処理速度を低下させることなくメモリの故障診断を行い得る計算機及びメモリ故障診断方法を提案する。【解決手段】演算処理を実行するＣＰＵと、同一のデータを記憶する主系及び従系のメモリと、主系及び従系のメモリの接続先を切り替えるセレクタと、ＣＰＵからの書込みデータを一時的に記憶する書込みデータバッファ装置と、主系及び従系のメモリの故障診断を交互に行うメモリ故障診断装置と、主系及び従系のメモリに対するアクセスを制御するメモリアクセス制御装置とを備え、メモリアクセス制御装置は、セレクタの動作を制御して、主系のメモリの接続先をＣＰＵに切り替えるとともに、ＣＰＵに接続されていない従系のメモリの接続先を書込みデータバッファ装置又はメモリ故障診断装置に切り替えることを特徴とする。【選択図】図１
2016207142.tif 000002
【特許請求の範囲】
【請求項１】
演算処理を実行するＣＰＵと、
同一のデータを記憶する主系及び従系のメモリと、
前記主系及び前記従系のメモリの接続先を切り替えるセレクタと、
前記ＣＰＵからの書込みデータを一時的に記憶する書込みデータバッファ装置と、
前記主系及び前記従系のメモリの故障診断を交互に行うメモリ故障診断装置と、
前記主系及び前記従系のメモリに対するアクセスを制御するメモリアクセス制御装置と
を備え、
前記メモリアクセス制御装置は、
前記セレクタの動作を制御して、前記主系のメモリの接続先を前記ＣＰＵに切り替えるとともに、前記ＣＰＵに接続されていない前記従系のメモリの接続先を前記書込みデータバッファ装置又は前記メモリ故障診断装置に切り替える
ことを特徴とする計算機。
【請求項２】
前記メモリアクセス制御装置は、
前記ＣＰＵにより前記主系のメモリから読出しデータが読み出される場合、
前記従系のメモリの接続先を前記メモリ故障診断装置に切り替える
ことを特徴とする請求項１に記載の計算機。
【請求項３】
前記メモリアクセス制御装置は、
前記ＣＰＵにより前記主系のメモリに書込みデータが書き込まれる場合、
前記従系のメモリに接続されている前記メモリ故障診断装置に対して、故障診断の停止を指示する
ことを特徴とする請求項１に記載の計算機。
【請求項４】
前記メモリアクセス制御装置は、
前記メモリ故障診断装置により故障診断が停止された後、前記従系のメモリの接続先を前記書込みデータバッファ装置に切り替える
ことを特徴とする請求項３に記載の計算機。
【請求項５】
前記メモリアクセス制御装置は、
前記書込みデータバッファ装置により書込みデータが前記従系のメモリに書き込まれた後、前記従系のメモリの接続先を前記メモリ故障診断装置に切り替える
ことを特徴とする請求項４に記載の計算機。
【請求項６】
前記書込みデータバッファ装置は、
前記ＣＰＵからの書込み先アドレス及び書込みデータを一時的に記憶し、
前記書込み先アドレスに基づいて、前記書込みデータを前記従系のメモリに書込む
ことを特徴とする請求項５に記載の計算機。
【請求項７】
前記メモリ故障診断装置は、
前記主系又は前記従系のメモリの故障を検知した場合、前記ＣＰＵに故障を通知する
ことを特徴とする請求項１に記載の計算機。
【請求項８】
演算処理を実行するＣＰＵと、
同一のデータを記憶する主系及び従系のメモリと、
前記主系及び前記従系のメモリの接続先を切り替えるセレクタと、
前記ＣＰＵからの書込みデータを一時的に記憶する書込みデータバッファ装置と、
前記主系及び前記従系のメモリの故障診断を交互に行うメモリ故障診断装置と、
前記主系及び前記従系のメモリに対するアクセスを制御するメモリアクセス制御装置と
を備えた計算機のメモリ故障診断方法であって、
前記メモリアクセス制御装置が、
前記セレクタの動作を制御して、前記主系のメモリの接続先を前記ＣＰＵに切り替える第１のステップと、
前記ＣＰＵに接続されていない前記従系のメモリの接続先を前記書込みデータバッファ装置又は前記メモリ故障診断装置に切り替える第２のステップと
を備えることを特徴とするメモリ故障診断方法。
【発明の詳細な説明】
【技術分野】
【０００１】
本発明は、計算機及びメモリ故障診断方法に関し、特に鉄道制御システムにおける計算機及びメモリ故障診断方法に適用して好適なものである。
【背景技術】
【０００２】
近年、鉄道制御システムに用いられる計算機は、１台の計算機で多くの設備及び車両を制御することが要求される。この場合、計算機のメモリ容量を増加させる必要があり、またＣＰＵ（Central  Processing  Unit）の処理速度を向上させる必要がある。一方で鉄道制御システムに用いられる計算機特有の構成としては、一般的な計算機よりも安全性を考慮して設計される点にある。安全性を確保するための構成の１つとして、例えば主系及び従系のメモリを備え、これら主系及び従系のメモリについて故障診断を行う構成がある。
【０００３】
特許文献１には、ＣＰＵと、このＣＰＵからのデータ書込み要求に対してデータを同時に書き込み、何れか一方からのみ出力する主系及び従系からなる２つのメモリと、主系及び従系のメモリの故障を交互に診断する診断プロセッサと、ＣＰＵ又は診断プロセッサの何れかを主系又は従系の何れかのメモリに接続するセレクタとを備える計算機が開示されている。この計算機によれば、定常動作中の計算機のＣＰＵを停止させることなくメモリの故障を検出することができるとしている。
【先行技術文献】
【特許文献】
【０００４】
【特許文献１】特開平０５−２７４１６９号公報
【発明の概要】
【発明が解決しようとする課題】
【０００５】
しかし特許文献１に記載の技術では、ＣＰＵと診断プロセッサとが略同時に同一のメモリ（例えば主系のメモリ）にアクセスする場合、ＣＰＵに待ち時間が発生する場合がある。例えば診断プロセッサがＣＰＵよりも先に主系のメモリにアクセスしている場合、ＣＰＵは、診断プロセッサによる診断が完了するまで、この主系のメモリにアクセスすることができないため、待ち時間が発生する。この場合、発生した待ち時間の分だけＣＰＵの処理速度が低下するという課題がある。
【０００６】
本発明は以上の点を考慮してなされたものであり、ＣＰＵとメモリ故障診断装置とを備えた計算機において、ＣＰＵの処理速度を低下させることなく、メモリの故障診断を行い得る計算機及びメモリ故障診断方法を提案するものである。
【課題を解決するための手段】
【０００７】
かかる課題を解決するために、本発明においては、演算処理を実行するＣＰＵと、同一のデータを記憶する主系及び従系のメモリと、主系及び従系のメモリの接続先を切り替えるセレクタと、ＣＰＵからの書込みデータを一時的に記憶する書込みデータバッファ装置と、主系及び従系のメモリの故障診断を交互に行うメモリ故障診断装置と、主系及び従系のメモリに対するアクセスを制御するメモリアクセス制御装置とを備え、メモリアクセス制御装置は、セレクタの動作を制御して、主系のメモリの接続先をＣＰＵに切り替えるとともに、ＣＰＵに接続されていない従系のメモリの接続先を書込みデータバッファ装置又はメモリ故障診断装置に切り替えることを特徴とする。
【０００８】
もしくは、かかる課題を解決するために、本発明においては、演算処理を実行するＣＰＵと、同一のデータを記憶する主系及び従系のメモリと、主系及び従系のメモリの接続先を切り替えるセレクタと、ＣＰＵからの書込みデータを一時的に記憶する書込みデータバッファ装置と、主系及び従系のメモリの故障診断を交互に行うメモリ故障診断装置と、主系及び従系のメモリに対するアクセスを制御するメモリアクセス制御装置とを備える計算機のメモリ故障診断方法であって、メモリアクセス制御装置が、セレクタの動作を制御して、主系のメモリの接続先をＣＰＵに切り替える第１のステップと、ＣＰＵに接続されていない従系のメモリの接続先を書込みデータバッファ装置又はメモリ故障診断装置に切り替える第２のステップとを備えることを特徴とする。
【発明の効果】
【０００９】
本発明によれば、ＣＰＵとメモリ故障診断装置とを備えた計算機において、ＣＰＵの処理速度を低下させることなく、メモリの故障診断を行うことができる。
【図面の簡単な説明】
【００１０】
【図１】本実施の形態における計算機の全体構成図である。
【図２】ＣＰＵがメモリからデータを読み出す際のシーケンス図である。
【図３】ＣＰＵがメモリからデータを読み出す際の概念構成図である。
【図４】ＣＰＵがメモリにデータを書き込む際のシーケンス図である。
【図５】ＣＰＵがメモリにデータを書き込む際の第１の状態の概念構成図である。
【図６】ＣＰＵがメモリにデータを書き込む際の第２の状態の概念構成図である。
【図７】ＣＰＵがメモリにデータを書き込む際の第３の状態の概念構成図である。
【図８】ＣＰＵがメモリにデータを書き込む際の第４の状態の概念構成図である。
【図９】ＣＰＵがメモリにデータを書き込む際の第５の状態の概念構成図である。
【図１０】ＣＰＵがメモリに対してデータを読み書きする際のシーケンス図である。
【図１１】診断対象メモリ切り替え処理のフローチャートである。
【発明を実施するための形態】
【００１１】
以下図面について、本発明の一実施の形態を詳述する。
【００１２】
（１）全体構成
図１は、鉄道制御システムにおいて用いられる計算機１０の全体構成を示す。計算機１０は、ＣＰＵ（Central  Processing  Unit）１、主系のメモリ２、従系のメモリ３、セレクタ４、５、書込みデータバッファ装置６、メモリ故障診断装置７及びメモリアクセス制御装置８を備えて構成される。
【００１３】
ＣＰＵ１は、鉄道制御システムにおける各種演算処理を実行するプロセッサである。メモリ２及び３は、保安のために２重化されており、同一のデータを記憶する。セレクタ４は、メモリ２に接続する接続先の機器を切り替える。メモリ２に接続する接続先の機器は、ここではＣＰＵ１、書込みデータバッファ装置６及びメモリ故障診断装置７の３つがある。
【００１４】
セレクタ５は、メモリ３に接続する接続先の機器を切り替える。メモリ３に接続する接続先の機器は、上記説明したセレクタ４の場合と同様、ＣＰＵ１、書込みデータバッファ装置６及びメモリ故障診断装置７の３つである。書込みデータバッファ装置６は、ＣＰＵ１からのデータの書込み要求に応じて、メモリ２又は３における書込み先のアドレス（書込み先アドレス）と、書込み対象のデータ（書込みデータ）とを一時的に記憶する。
【００１５】
メモリ故障診断装置７は、メモリ２及び３に対してデータの読み書きを行うことで、メモリ２及び３が故障しているか否かを診断する。メモリアクセス制御装置８は、メモリ２及び３に対するアクセスを制御する。制御する対象機器は、セレクタ４、５、書込みデータバッファ装置６及びメモリ故障診断装置７である。
【００１６】
例えばメモリアクセス制御装置８は、ＣＰＵ１がメモリ２からデータを読み出す際、セレクタ４の動作を制御して、メモリ２に接続する接続先の機器をＣＰＵ１に切り替える。またセレクタ５の動作を制御して、メモリ故障診断装置７がメモリ３の故障診断を行えるようにメモリ３の接続先の機器をメモリ故障診断装置７に切り替える。
【００１７】
一方でメモリアクセス制御装置８は、ＣＰＵ１がメモリ２にデータを書き込む際、セレクタ４の動作を制御して、メモリ２に接続する接続先の機器をＣＰＵ１に切り替える。またメモリ故障診断装置７に故障診断の停止を指示し、故障診断が停止した後、セレクタ５の動作を制御して、書込みデータバッファ装置６がメモリ３に書込みデータを書き込むことができるようにメモリ３の接続先の機器を書込みデータバッファ装置６に切り替える。
【００１８】
（２）読出し時の構成
図２は、ＣＰＵ１がメモリ２からデータを読み出す際のシーケンス図である。また図３は、ＣＰＵ１がメモリ２からデータを読み出す際の概念構成図である。以下図２及び図３を参照して、ＣＰＵ１がメモリ２からデータを読み出す際の処理について説明する。なお前提として、メモリアクセス制御装置８により、メモリ２はセレクタ４を介してＣＰＵ１に接続されており、メモリ３はセレクタ５を介してメモリ故障診断装置７に接続されているものとする。
【００１９】
ＣＰＵ１がメモリ２に記憶されているデータ（読出しデータ）を読み出す場合、ＣＰＵ１は、セレクタ４を介してメモリ２に読出要求を出力し、メモリ２から読出しデータを読み出す。ＣＰＵ１がメモリ２から読出しデータを読み出している間、メモリ故障診断装置７は、セレクタ５を介してメモリ３の故障診断を行う。
【００２０】
故障診断の手法としては、例えばメモリ故障診断装置７がメモリ３に読出要求を出力し、メモリ３から読み出した読出しデータに付与されているチェックサムやＣＲＣ（Cyclic  Redundancy  Check）等の誤り検知符号を確認する方法がある。またメモリ故障診断装置７がメモリ３に書込要求を出力し、メモリ３に特定の書込みデータを書き込んだ後、書き込んだ特定の書込みデータと同一のデータをメモリ３から読み出すことができるか否かを確認する方法がある。
【００２１】
メモリ故障診断装置７は、故障診断を行った結果、故障を検知した場合には故障検知をＣＰＵ１に通知する。ＣＰＵ１は、故障検知の通知を受領した場合、予め設定された処理を実行する。例えばＣＰＵ１は、安全確保のために演算処理の実行を停止し、また鉄道制御システムにおける各種機器の動作を抑止する等の処理を行う。
【００２２】
ＣＰＵ１がメモリ２から読出しデータを読み出している間、書込みデータバッファ装置６及びメモリアクセス制御装置８は動作せずに待機する。
【００２３】
このようにＣＰＵ１がメモリ２から読出しデータを読み出す場合、メモリ故障診断装置７は他方のメモリ３の故障診断を行うことができる。またＣＰＵ１がセレクタ５を介してメモリ３から読出しデータを読み出す場合には、メモリ故障診断装置７はセレクタ４を介して他方のメモリ２の故障診断を行うことができる。
【００２４】
よってＣＰＵ１の定常動作を停止させず、また処理速度を低下させずにメモリ故障診断装置７によりメモリ２又は３の故障診断を常時行うことができる。
【００２５】
（３）書込み時の構成
図４は、ＣＰＵ１がメモリ２にデータを書き込む際のシーケンス図である。また図５〜図９は、ＣＰＵ１がメモリ２にデータを書き込む際の各時点の概念構成図である。以下図４〜図９を参照して、ＣＰＵ１がメモリ２にデータを書き込む際の処理について説明する。なお前提として、メモリアクセス制御装置８により、メモリ２はセレクタ４を介してＣＰＵ１に接続されており、メモリ３はセレクタ５を介してメモリ故障診断装置７に接続されているものとする。
【００２６】
まず図４及び図５について説明する。ＣＰＵ１がメモリ２に書込みデータを書き込む場合、ＣＰＵ１は、セレクタ４を介してメモリ２に書込要求を出力し、メモリ２に書込みデータを書き込む。このときＣＰＵ１は、書込みデータバッファ装置６及びメモリアクセス制御装置８に対しても書込要求を出力する。
【００２７】
書込みデータバッファ装置６は、ＣＰＵ１からの書込要求を入力すると、書込みデータ及び書込み先アドレスを一時的に記憶する。またメモリアクセス制御装置８は、ＣＰＵ１からの書込要求を入力すると、メモリ故障診断装置７に対して故障診断の停止を指示する。なおメモリ故障診断装置７は、メモリアクセス制御装置８から故障診断の停止が指示されるまで、ＣＰＵ１がアクセスしているメモリとは異なるメモリ（ここではメモリ３）の故障診断を常時行っている。
【００２８】
次いで図４及び図６について説明する。メモリ故障診断装置７はメモリアクセス制御装置８から故障診断の停止が指示されると、メモリ３の故障診断を適切なタイミングで停止し、故障診断の停止が完了したことをメモリアクセス制御装置８に通知する。
【００２９】
ここで、メモリ故障診断装置７がメモリ３にアクセスしている最中にメモリ３の接続先を変更すると、メモリ３のアクセス動作が途中で中断されて、メモリ３の破損や異常動作に繋がる可能性がある。メモリ故障診断装置７がメモリ３の故障診断を停止する場合には、適切なタイミングで停止する必要がある。
【００３０】
例えばメモリ故障診断装置７がメモリ３に書込要求を出力し、メモリ３に特定の書込みデータを書き込んだ後、書き込んだ特定の書込みデータと同一のデータをメモリ３から読み出すことができるか否かを確認することにより故障診断を行う手法を採用している場合、書込要求を出力してから同一のデータをメモリ３から読み出して確認するまでの一連の処理を終了した後、メモリ故障診断装置７はメモリ３の故障診断を停止する。
【００３１】
このようにメモリ故障診断装置７がメモリ３の故障診断を適切なタイミングで停止することにより、メモリ３に記憶されているデータの破損やメモリ３の異常動作を防止することができる。メモリ故障診断装置７は、故障診断を停止した後、故障診断の完了をメモリアクセス制御装置８に通知する。
【００３２】
メモリアクセス制御装置８は、メモリ故障診断装置７から故障診断の完了が通知されると、セレクタ５の動作を制御して、メモリ３の接続先をメモリ故障診断装置７から書込みデータバッファ装置６に切り替える。
【００３３】
次いで図４及び図７について説明する。メモリアクセス制御装置８は、メモリ３の接続先を書込みデータバッファ装置６に切り替えた後、書込みデータバッファ装置６に対して書込みデータの出力を指示する。書込みデータバッファ装置６は、メモリアクセス制御装置８から書込みデータの出力が指示されると、メモリ３の書込み先アドレスを指定して書込みデータを出力する。メモリ３は、指定された書込み先アドレスに書込みデータを記憶する。
【００３４】
次いで図４及び図８について説明する。書込みデータバッファ装置６は、書込みデータをメモリ３に書き込んだ後、書込みが完了したことをメモリアクセス制御装置８に通知する。メモリアクセス制御装置８は、書込みデータバッファ装置６から書込み完了が通知されると、セレクタ５の動作を制御して、メモリ３の接続先を書込みデータバッファ装置６からメモリ故障診断装置７に切り替える。
【００３５】
最後に図４及び図９について説明する。メモリアクセス制御装置８は、メモリ３の接続先をメモリ故障診断装置７に切り替えた後、故障診断を再開するようにメモリ故障診断装置７に指示する。メモリ故障診断装置７は、メモリアクセス制御装置８から故障診断の再開が指示されると、セレクタ５を介してメモリ３にアクセスし、メモリ３の故障診断を再開する。
【００３６】
なおメモリ故障診断装置７は、メモリ３の故障診断を再開する際、メモリ３の記憶領域のうち、これまで診断してきた記憶領域以外の記憶領域について故障診断を再開する。例えばメモリ故障診断装置７は、故障診断を停止する際、最後に故障診断を行ったメモリ３の記憶領域のアドレスを保持しておく。そして再開する際、保持するアドレスを読み出し、読み出したアドレス以降の記憶領域について故障診断を再開する。
【００３７】
このようにＣＰＵ１がメモリ２に書込みデータを書き込む場合、メモリ故障診断装置７は他方のメモリ３の故障診断を行うことができる。また書込みデータバッファ装置６がメモリ２に書き込まれた書込みデータと同一の書込みデータを一時的に記憶し、非同期でメモリ３に書込みデータを書き込むことができる。書込みデータバッファ装置６が書込みデータをメモリ３に書き込むとき、メモリアクセス制御装置８の制御により、メモリ故障診断装置７は適切なタイミングで故障診断を停止することができる。
【００３８】
なおＣＰＵ１がセレクタ５を介してメモリ３に書込みデータを書き込む場合には、メモリ故障診断装置７はセレクタ４を介して他方のメモリ２の故障診断を行うことができる。また書込みデータバッファ装置６がメモリ３に書き込まれた書込みデータと同一の書込みデータを一時的に記憶し、非同期でメモリ２に書込みデータを書き込むことができる。書込みデータバッファ装置６が書込みデータをメモリ２に書き込むとき、メモリアクセス制御装置８の制御により、メモリ故障診断装置７は適切なタイミングで故障診断を停止することができる。
【００３９】
よってＣＰＵ１の定常動作を停止させず、また処理速度を低下させずにメモリ故障診断装置７によりメモリ２又は３の故障診断を常時行うことができるとともに、メモリ２又は３に記憶されているデータの破損やメモリ２又は３の異常動作を防止することができる。
【００４０】
（４）読出し時及び書込み時の構成
図１０は、ＣＰＵ１がメモリ２からデータを読み出すと同時にメモリ２に対してデータを書き込む一連の処理のシーケンス図である。読み出しと書込みとが同時（交互）に行われる場合においても、本実施の形態によればＣＰＵ１の定常動作を停止させず、また処理速度を低下させずにメモリ２又は３の故障診断を行うことができる。
【００４１】
すなわち図１０に示すように、ＣＰＵ１がメモリ２から読出しデータを読み出す場合、ＣＰＵ１は、セレクタ４を介してメモリ２に読出要求を出力し、メモリ２から読出データを読み出す。このときメモリ故障診断装置７は、セレクタ５を介してメモリ３の故障診断を行う。
【００４２】
一方でＣＰＵ１がメモリ２に書込みデータを書き込む場合、ＣＰＵ１は、セレクタ４を介してメモリ２、書込みデータバッファ装置６及びメモリアクセス制御装置８に書込要求を出力し、メモリ２及び書込みデータバッファ装置６に書込みデータを書き込む。ＣＰＵ１から複数の書込要求が出力される場合には、その都度、書込要求はメモリ２、書込みデータバッファ装置６及びメモリアクセス制御装置８に出力される。
【００４３】
そして書込みデータバッファ装置６は、メモリ故障診断装置７による故障診断が停止した後、一時的に記憶している書込みデータをメモリ３に書き込む。メモリ故障診断装置７は、メモリアクセス制御装置８の制御により、適切なタイミングで故障診断を停止することができる。
【００４４】
（５）診断対象メモリ切り替え処理
図１１は、診断対象メモリ切り替え処理のフローチャートを示す。この処理は、メモリ故障診断装置７により行われる故障診断の対象メモリを例えばメモリ２からメモリ３（或いはメモリ３からメモリ２）に切り替える処理であり、メモリアクセス制御装置８により実行される。
【００４５】
まずメモリアクセス制御装置８は、処理開始の契機として、メモリ故障診断装置７から診断対象メモリ切替要求を受信する（ＳＰ１）。なおメモリ故障診断装置７は、メモリ３の全領域を全て診断した後であって、メモリ３に対するアクセスを停止した後に診断対象メモリ切替要求をメモリアクセス制御装置８に送信する。
【００４６】
次いでメモリアクセス制御装置８は、ＣＰＵ１の出力を監視し、ＣＰＵ１がメモリ２にアクセスしなくなるタイミングまで待機する（ＳＰ２）。そしてメモリアクセス制御装置８は、規定時間内にＣＰＵ１がメモリ２にアクセスしないタイミングがあったか否かを判断する（ＳＰ３）。
【００４７】
ステップＳＰ３の判断で否定結果を得ると（ＳＰ３：Ｎ）、メモリアクセス制御装置８は、メモリ故障診断装置７に診断対象メモリ切替失敗通知を送信する（ＳＰ４）。メモリ故障診断装置７は、この診断対象メモリ切替失敗通知を受信した場合、同一のメモリ３に対して再度故障診断を行う。そして再度の故障診断が完了した後、再び診断対象メモリ切替要求をメモリアクセス制御装置８に送信する。
【００４８】
なおメモリ故障診断装置７は、診断対象メモリ切替失敗通知を受信した場合、一定時間待機して、再度診断対象メモリ切替要求をメモリアクセス制御装置８に送信するとしてもよい。
【００４９】
これに対し肯定結果を得ると（ＳＰ３：Ｙ）、メモリアクセス制御装置８は、セレクタ４及び５の動作を制御して、メモリ２に接続する接続先をＣＰＵ１からメモリ故障診断装置７に切り替え、メモリ３に接続する接続先をメモリ故障診断装置７からＣＰＵ１に切り替える（ＳＰ５）。
【００５０】
そしてメモリアクセス制御装置８は、メモリ故障診断装置７に診断対象メモリ切替成功通知を送信する（ＳＰ６）。メモリ故障診断装置７は、この診断対象メモリ切替成功通知を受信した場合、メモリ２にアクセスしてメモリ２の故障診断を行う。
【符号の説明】
【００５１】
１０    計算機
１      ＣＰＵ
２、３  メモリ
４、５  セレクタ
６      書込みデータバッファ装置
７      メモリ故障診断装置
８      メモリアクセス制御装置
【図１】
2016207142.tif 000003
【図２】
2016207142.tif 000004
【図３】
2016207142.tif 000005
【図４】
2016207142.tif 000006
【図５】
2016207142.tif 000007
【図６】
2016207142.tif 000008
【図７】
2016207142.tif 000009
【図８】
2016207142.tif 000010
【図９】
2016207142.tif 000011
【図１０】
2016207142.tif 000012
【図１１】
2016207142.tif 000013